(57)【要約】【課題】光学記憶媒体用スキャナに関する。【解決手段】本発明は、光学記憶媒体用のスキャナ（１）と、該スキャナ（１）を使用する光学記憶媒体からの読み込み及び／又は光学記憶媒体への書き込みを行う装置に関する。本発明は、接着剤（７）を用いてレンズホルダ（２）に取り付けられた対物レンズ（３）を有し、該接着剤（７）が対物レンズ（３）の保護を提供するように構成された光学記憶媒体用スキャナ（１）を提案する。【選択図】図３
2006260761.tif 000002
【特許請求の範囲】
【請求項１】
接着剤（７）を用いてレンズホルダ（２）に取り付けられた対物レンズ（３）を有し、該接着剤（７）が対物レンズ（３）の保護を提供するように構成されていることを特徴とする、光学記憶媒体用スキャナ（１）。
【請求項２】
前記対物レンズ（３）に近接して、前記接着剤（７）をためるための接着用くぼみ（６）を持つレンズホルダ（２）を有することを特徴とする、請求項１に記載のスキャナ（１）。
【請求項３】
前記レンズホルダ（２）と対物レンズ（３）から突出する接着剤（７）を有することを特徴とする、請求項１又は２に記載のスキャナ（１）。
【請求項４】
前記接着剤（７）が柔軟性であることを特徴とする、請求項１から３のいずれか１項に記載のスキャナ（１）。
【請求項５】
前記レンズホルダ（２）の自然周波数から分離されるように、レンズホルダ（２）と接着剤で接着されている対物レンズ（３）を有することを特徴とする、請求項１から４のいずれか１項に記載のスキャナ（１）。
【請求項６】
請求項１から５のいずれか１項に記載の光学スキャナ（１）を有することを特徴とする、光学記憶媒体からの読み込み及び／又は光学記憶媒体への書き込みを行う装置。
【発明の詳細な説明】
【技術分野】
【０００１】
本発明は、光学記憶媒体用のスキャナと、該スキャナを使用する光学記憶媒体からの読み込み及び／又は光学記憶媒体への書き込みを行う装置に関する。
【背景技術】
【０００２】
ＣＤ（コンパクトディスク）、ＤＶＤ（デジタル多用途ディスク）といった光学記憶媒体用のスキャナは、通常、スキャン又は書き込みを行うビームの空間位置の制御にアクチュエータを使用する。該光学スキャナによる光学記憶媒体の再生又は該媒体への記録中に、アクチュエータの制御回路の乱れにより、アクチュエータが制御されずに記憶媒体と衝突してしまう危険がある。アクチュエータに取り付けられた対物レンズが、こうした衝突によって、例えば、傷が付くといった損傷を受けるのを防ぐために、レンズ保護物が用意されている。例えば、日本国公開番号  特開２００３−３３８０６３号に記載のレンズ保護手段が知られている。
【０００３】
通常、レンズ保護物は硬質材料からなる。これは、対物レンズのみを保護し、光学記憶媒体は依然として傷が付いてしまう、という問題がある。この場合、傷は放射状に付くため、以降の読み取りをより困難にしてしまう。
【０００４】
米国公開特許番号２００１／００１９５３４号において、シリコンゴムからなるボール形状の対物レンズ止め具が開示されている。該止め具は、アクチュエータの対応切り抜き部に圧入して使用される。本解決策は図１に図解されているが、追加部品が必要である、という問題点を有する。
【発明の開示】
【発明が解決しようとする課題】
【０００５】
本発明の目的の一つは、光学記憶媒体及び対物レンズに損傷を与えることを防ぎ、かつ容易に製造可能な光学スキャナを提供することである。
【課題を解決するための手段】
【０００６】
本発明によれば、上記の目的は、接着剤を用いてレンズホルダに取り付けられた対物レンズを有し、該接着剤が対物レンズの保護を提供するように構成された光学記憶媒体用スキャナによって達成される。対物レンズはレンズホルダに接着剤で接着されている。少量の余分な接着剤が、衝突した際に光学記憶媒体と対物レンズとが損傷しないように保護する。同時に、対物レンズの保護に追加の部品が必要ないため、費用の削減をもたらす。そしてさらに、本発明に係る解決策により、アクチュエータのサイズが縮小化され、光学記憶媒体のより高速なスキャンが可能となる。
【０００７】
レンズホルダには、接着剤をためるのに都合の良い接着剤用くぼみがあり、該くぼみは対物レンズに近接している。これが、一方では対物レンズをしっかり支える止め具となり、他方では、対物レンズの保護に最も適した場所に接着剤を固定することとなる。
【０００８】
対物レンズと光学記憶媒体の最適な保護が、レンズホルダと対物レンズから突出する接着剤により達成される。
【０００９】
対物レンズは、柔軟性のある接着剤を用いてレンズホルダに接着されているのが好ましい。硬度の高い接着剤も使用されるかもしれないが、柔軟性のある接着剤はレンズホルダに起こる自然周波数をダンピングし、その結果、対物レンズはレンズホルダの自然周波数から分離される。
【００１０】
本発明によるスキャナは、光学記憶媒体からの読み取り及び／又は光学記憶媒体への書き込みのための装置として使用されるのが好ましい。
【発明を実施するための最良の形態】
【００１１】
理解を助けるため、本発明について添付図面図１から図３を参照しながら説明する。各図面において、同一の参照番号は同一の構成要素を意味する。
【００１２】
図１に、従来技術による光学記憶媒体用スキャナ１を示す。スキャナ１は、対物レンズ３を支持するレンズホルダ２を有し、対物レンズ３はレンズホルダ２の開口部に取り付けられている。シリコンゴムからなり、レンズホルダ２の対応切り抜き部５に圧入される３個のボール４は、対物レンズ３と（図示されていない）光学記憶媒体とを衝突から保護する役割を果たす。スキャナの他の要素は当業者の知るところであり、ここではさらなる説明はしない。
【００１３】
図２に、本発明によるスキャナ１を示す。この場合も同様に、対物レンズ３はレンズホルダ２の開口部に取り付けられている。この取り付けは、柔軟性のある接着剤を用いて行われており、該柔軟性のある接着剤は、漏斗状の接着剤用くぼみ６に入れられている。接着剤用くぼみ６は、対物レンズ３の端にまで及ぶように構成されている。接着剤用くぼみ６が少し余分な量の接着剤で満たされた場合、突出する分の接着剤が、光学記憶媒体と対物レンズ３とを衝突から保護する。柔軟性のある接着剤の一例として、協立化学産業株式会社の製品で硬度力７０ショアＡのワールドロックＮｏ．８７９９がある。
【００１４】
図２では、２箇所の接着箇所が対角線上に設定されている。これはアクチュエータの磁気的リターンパスがその両側に配置されているためで、その結果、接着箇所を設定する場所が不足している。もし場所の条件が異なっていたら、より多くの接着箇所を設定することが可能である。接着箇所が３又は４箇所の場合の利点として、対物レンズ３が全ての軸に対して、より確実に支持される点がある。しかしながら、この場合、重量増加と費用の増加を必要とする。３箇所の隆起した接着箇所を使用することが、重量、費用、取り付けの信頼性に関する妥協案として都合がよい。さらには、複数の接着箇所のうち数個だけが対物レンズ３の保護機能を供給する、例えば、合計４箇所の接着箇所のうち２箇所が隆起している、というのももちろん考えられる。接着箇所が対物レンズ３を円周状に囲むことも考えられる。
【００１５】
図３に、スキャナ１の断面図を示す。接着用くぼみ６の形状がわかるように、断面の角度は４５度を選択している。接着用くぼみ６に入った接着剤７が、対物レンズ３を収めるために、レンズホルダ２と対物レンズ３からどのように突出しているのか、そして、衝突の際にどのように保護に使用されるのかがわかりやすく図示されている。対物レンズ３は、その端部分で比較的ゆるくレンズホルダ２に載せられていて、機械的に接着されてはいない。このことが、それ自体高いデカップリングをもたらす。柔軟性のある接着剤７が、ダンピングとして動作する。対物レンズ３がレンズホルダ上に載っているのではなく、接着剤７だけにより支持されている、という方法で対物レンズ３が取り付けられれば、さらなるデカップリングが実現される。
【図面の簡単な説明】
【００１６】
【図１】従来技術による光学記憶媒体用スキャナを示している。
【図２】本発明による光学記憶媒体用スキャナを示している。
【図３】図２に示されたスキャナの断面図を示している。
【符号の説明】
【００１７】
１  スキャナ
２  レンズホルダ
３  対物レンズ
４  ボール
５  対応切り抜き部
６  接着剤用くぼみ
７  接着剤
【図１】
2006260761.tif 000003
【図２】
2006260761.tif 000004
【図３】
2006260761.tif 000005
【外国語明細書】
2006260761.tif 000006
2006260761.tif 000007
2006260761.tif 000008
2006260761.tif 000009
2006260761.tif 000010
2006260761.tif 000011
2006260761.tif 000012
2006260761.tif 000013
2006260761.tif 000014